【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
ＰＥＴ−ＭＲＩ装置（１０）であって、
マグネットのボアの周りに位置決めされた複数の勾配コイル、及び、ＲＦパルスシーケンスを放出するためにパルス発生器に結合されたＲＦコイルアセンブリであって、ＭＲ撮像視野（ＦＯＶ）内において前記ボア内の関心被検者からＭＲ信号を受信するように構成されるＲＦコイルアセンブリを有する磁気共鳴撮像（ＭＲＩ）システムと、
前記ボアを囲む検出器アレイを有するポジトロン断層撮影（ＰＥＴ）システムであって、前記検出器アレイは、ＰＥＴ検出器ＦＯＶ内において前記関心被検者のＰＥＴ放出を取得するように制御される、ポジトロン断層撮影（ＰＥＴ）システムと、
前記関心被検者からの前記ＭＲ信号及び前記ＰＥＴ放出の取得を可能とするために、前記関心被検者の支持および前記関心被検者の前記ボア内における移動を行うように構成される患者支持アセンブリであって、前記関心被検者を収容するように構成されるクレードル、及び、前記クレードルを受け取り前記クレードルの併進を可能にするように構成されるブリッジを備える患者支持アセンブリと、
前記ブリッジと前記クレードルとの間に位置するように前記ブリッジに位置決めされた固定式ＲＦコイル構造であって、固定式ＲＦコイル構造の一部分が前記ＰＥＴ  ＦＯＶ内に位置するように構成される固定式ＲＦコイル構造とを備え、
前記ＲＦコイル構造は、
ベース部分と、
前記ベース部分の上に位置するカバー部分と、
前記ＭＲ  ＦＯＶ及び前記ＰＥＴ  ＦＯＶ内に位置するように、前記カバー部分に位置決めされたＲＦコイル要素のアレイと、
前記ＲＦコイル要素のアレイの動作を制御するように構成されるドライバ電子部品であって、前記ＰＥＴ  ＦＯＶの外側に位置するように、前記ベース部分内に位置決めされるドライバ電子部品と、を備え、
前記カバー部分は、前記クレードルの形状に合うように輪郭が形成され、
前記ＲＦコイル要素のアレイは、前記カバー部分の輪郭に追従するように前記カバー部分に配列されるとともに位置決めされ、それにより、前記ＲＦコイル要素のアレイと前記クレードルとの間に一定でかつ均一のギャップが設けられる、ＰＥＴ−ＭＲＩ装置。
【請求項２】
前記カバー部分は、中央エリアの両側に形成された一対の翼部を備え、前記カバー部分の前記一対の翼部は、前記一対の翼部上に位置決めされた前記ＲＦコイル要素が前記関心被検者の身体の方を向くような角度を有するように輪郭が形成される、請求項１記載のＰＥＴ−ＭＲＩ装置。
【請求項３】
前記ベース部分は、
前記ベース部分の下部表面から上方に延在する複数の取付け支柱と、
前記複数の取付け支柱の各々の上部表面に位置決めされたローラ要素であって、前記クレードルの下部表面に係合するように位置決めされ配置されるローラ要素とを有し、
前記複数の取付け支柱及び複数のローラ要素は、前記クレードルが前記関心被検者を前記ボア内において併進させるときに前記クレードルによって加えられる荷重が、前記ＲＦコイル要素のアレイに伝達されないように、前記荷重を十分に支える、請求項１記載のＰＥＴ−ＭＲＩ装置。
【請求項４】
前記複数の取付け支柱の大部分又は全部が、前記ＰＥＴ  ＦＯＶの外側において前記ベース部分の下部表面上に形成される、請求項３記載のＰＥＴ−ＭＲＩ装置。
【請求項５】
前記ＲＦコイル構造の前記カバー部分は、前記ローラ要素に対応する場所において複数の開口を含み、前記ローラ要素は、前記複数の開口を通って突出し、前記クレードルの下部表面に係合する、請求項３記載のＰＥＴ−ＭＲＩ装置。
【請求項６】
前記ベース部分は、前記ブリッジからの前記ＲＦコイル構造の選択的な取外しを可能にするため前記ベース部分と一体に形成された取っ手を備える、請求項１記載のＰＥＴ−ＭＲＩ装置。
【請求項７】
前記ブリッジは、
後部ブリッジと、
前記後部ブリッジに接続された前部ブリッジとを有し、
前記前部ブリッジは、
前記ＰＥＴチューブの第１の縁部から前記ボア内に延在する第１のセクション、及び、
前記ＰＥＴチューブの第２の縁部から前記ボア内に延在する第２のセクションとを有し、
前記第２のセクションは、前記第１のセクションから離間して、前記ＰＥＴシステムの検出器アレイに隣接するエリアにおいて前記第１のセクションと前記第２のセクションとの間の前記前部ブリッジ内にギャップを形成する、請求項１記載のＰＥＴ−ＭＲＩ装置。
【請求項８】
前記前部ブリッジは、前記前部ブリッジ内に形成されたコイル位置決めエリアを含み、前記コイル位置決めエリアは前記コイル位置決めエリア内に前記ＲＦコイル構造を収容するように構成され、前記コイル位置決めエリアは、前記前部ブリッジの前記第１及び第２のセクションの互いに隣接する部分を含み、また、前記第１のセクションと前記第２のセクションとの間に形成されたギャップを含む、請求項７記載のＰＥＴ−ＭＲＩ装置（１０）。
【請求項９】
独立型磁気共鳴（ＭＲ）撮像システム又は組合せ型ポジトロン断層撮影（ＰＥＴ）−ＭＲ撮像システムにおいて使用するための固定式後部無線周波数（ＲＦ）コイル構造であって、
ベース部分と、
前記ベース部分の上に位置するカバー部分と、
前記カバー部分において、前記ＲＦコイル構造の第１の領域内に位置決めされたＲＦコイル要素のアレイと、
前記ＲＦコイル要素のアレイの動作を制御するように構成されるドライバ電子部品であって、前記ＲＦコイル要素のアレイから分離されるように、前記ベース部分において前記ＲＦコイル構造の第２の領域内に位置決めされたドライバ電子部品と、
前記ベース部分内に形成された複数の構造部材とを備え、
前記複数の構造部材の各々は、前記構造部材の上部表面上に位置決めされた垂直型ローラ要素を含み、
前記複数の構造部材は、前記ＲＦコイル構造に加わる荷重が前記ＲＦコイル要素のアレイに伝達されないように、前記荷重を支え、前記荷重には、前記独立型ＭＲ撮像システム又は組合せ型ＰＥＴ−ＭＲ撮像システムのボア内で患者を併進させるクレードルによって加えられる荷重が含まれており、
前記カバー部分は、
下部表面と、
前記下部表面から上に延在する一対の輪郭形成側部表面とを更に備え、
前記ＲＦコイル要素のアレイは、前記下部表面から前記一対の輪郭形成側部表面まで延在するように、前記カバー部分に配列され位置決めされる、固定式後部無線周波数（ＲＦ）コイル構造。
【請求項１０】
前記複数の構造部材の大部分は、前記ＲＦコイル構造の前記第１の領域の外側に位置する、請求項９記載のＲＦコイル構造。
【請求項１１】
前記下部表面から前記一対の輪郭形成側部表面まで延在するように、前記カバー部分に前記ＲＦコイル要素を配列し位置決めすることにより、前記ＲＦコイル要素のアレイと前記クレードルとの間に一定でかつ均一のギャップを提供する、請求項９記載のＲＦコイル構造。
【請求項１２】
前記ＲＦコイル構造の前記カバー部分は、前記垂直型ローラ要素に対応する場所において複数の開口を含み、前記垂直型ローラ要素は、前記複数の開口を通って突出し、前記クレードルの下部表面に係合する、請求項９記載のＲＦコイル構造。
【請求項１３】
前記ベース部分および前記カバー部分の各々は、前記独立型ＭＲ撮像システム又は組合せ型ＰＥＴ−ＭＲ撮像システムからの前記ＲＦコイル構造の選択的な取外しを可能にするための取っ手を有する、請求項９記載のＲＦコイル構造。